(57)【特許請求の範囲】
【請求項１】
陰極線管の表示スクリーンの第１の軸方向に電子ビームを走査させるための偏向磁界を生成する鞍形の第１の偏向コイルと、
ラスタを形成するため上記スクリーンの第２の軸方向に上記電子ビームを走査させる第２の偏向コイルと、
上記第１の偏向コイル及び上記第２の偏向コイルと協働し、偏向ヨークを形成する透磁性コアとを含み、
上記第１の偏向コイルは、１対の側方部と、上記スクリーンに接近した前方端旋曲部と、上記陰極線管の電子銃に接近した後方端旋曲部とを形成する複数の巻線旋曲部を有し、
上記側方部は、前記側方部間に導体ワイヤの無い巻線窓を形成し、前記巻線窓は、前記前方端旋曲部と前記後方端旋曲部の間の上記陰極線管の長軸に沿った距離により決められる第１の長さを有し、
少なくとも一方の上記側方部は不等辺四辺形歪みビームランディング誤差を補正する第１の巻線空間を有し、
上記第１の巻線空間は、水平軸から３０度乃至４５度の間で選択されたＸ−Ｙ平面における放射状の角度のアパーチャを占め、上記窓の上記第１の長さの２分の１を超える上記陰極線管の長軸に沿った第２の長さを有するアパーチャを形成する、
ビデオ表示偏向装置。
【請求項２】
上記第１の巻線空間は、上記窓のスクリーンの端の長軸座標から、上記第１の長さの２分の１よりも上記スクリーンから離れた長軸座標まで及ぶ、
請求項１記載の偏向装置。
【請求項３】
上記側方部の一方は、上記後方端旋曲部に近い上記窓の最後部の第１の端の長軸座標と、上記窓の最後部の第１の端から上記窓の上記第１の長さ範囲の１０％に一致する間隔だけ上記第１の端の長軸座標よりも上記スクリーンに近い長軸座標との間に及ぶ長軸座標の範囲から選択された位置にコーナー部分を有する第２の巻線空間を有する、
請求項１記載の偏向装置。
【請求項４】
上記第２の巻線空間は、上記スクリーンから上記窓の最後部の第１の端の座標よりも離れた長軸座標まで及ぶ、
請求項３記載の偏向装置。
【請求項５】
上記第１及び第２の巻線空間は、互いに相殺し合う、逆向きのコマパラボラ誤差の成分を生じる、
請求項３記載の偏向装置。
【請求項６】
上記各巻線空間は、上記第１の偏向コイルの磁界の磁界分布関数の２次係数及び４次係数を正方向に増加させる、
請求項３記載の偏向装置。
【請求項７】
上記第１の巻線空間は第２のコーナー部を有し、
上記一方の側方部は、上記第２のコーナー部を有する第１の巻線束と、上記巻線窓の側方境界を形成する第２の巻線束とを含み、
上記第１の巻線束は上記一方の側方部のワイヤ導体の２分の１を超える部分を収容する、
請求項３記載の偏向装置。
【請求項８】
上記第１の巻線束は上記第２のコーナー部を含み、前記第１の偏向コイルの前記水平軸から零度と３０度の間に導体巻線を収容する、
請求項７記載の偏向装置。
【請求項９】
上記陰極線管の前記ディスプレイスクリーンは１．５Ｒ以上の曲率半径を有する、
請求項１記載の偏向装置。
【請求項１０】
上記陰極線管の前記ディスプレイスクリーンは、水平エッジに３．５Ｒのオーダーの曲率半径を有する、
請求項１記載の偏向装置。
【発明の詳細な説明】
本発明はビデオ表示装置のカラー陰極線管（ＣＲＴ）用の偏向ヨークに関する。
発明の背景
カラー画像を生成するＣＲＴは、一般的に、３本の同一平面上のビーム（Ｒ、Ｇ及びＢの電子ビーム）を放出する電子銃を含み、所与の原色の赤、緑及び青のルミネセンス材料をスクリーン上に励起する。偏向ヨークは陰極線管のネック部に取り付けられ、水平及び垂直偏向コイル又は巻線によって生成された偏向フィールドを生成する。強磁性体のリンク又はコアは、通常の方法で偏向コイルを取り巻く。
発生された３本のビームは、色のレンダリングに誤差が生じさせるコンバージェンス誤差とも称されるビームランディング誤差を回避するため、スクリーン上に集中することが要求される。集中させるため、自己コンバージェンスと称される非点収差偏向コイルを使用することは公知である。自己コンバージェンス偏向コイルの場合、水平偏向コイルにより発生された磁束の線によって描写された磁界の不均一性は、スクリーン付近の前面部に配置されたコイルの一部に略ピンクッション形を有する。
ピンクション歪みと称される幾何歪みは、部分的に、スクリーン表面の非球面形状に起因して生ずる。画像の歪み、すなわち、画像の上部及び下部における上下の歪み、並びに、画像の側部における左右の歪みはスクリーンの曲率半径が増大すると共に強くなる。
陰極線管の長軸に対し小さい角度で偏向ゾーンに侵入するＲ及びＢビームは中心のＧビームの偏向に対し補足的な偏向を受けるので、コマ誤差が発生する。水平偏向磁界に関して、コマは、コンバージェンス誤差補正のため使用される上記ピンクッション磁界の後ろ側で、樽形の水平偏向磁界をビーム入射領域若しくは偏向ヨークのゾーンに発生させることにより略補正される。
コマパラボラ歪みは、ラインがスクリーンの中央からからコーナーに追跡されると共に、赤色画像と青色画像の間の中間点に対する緑色画像の緩やかな水平方向のシフトによって画像の側方で垂直ラインに現される。このシフトが画像の外側若しくは側方に向かって生じるとき、コマパラボラ誤差は、通常、正方向の誤差と呼ばれ、画像の内側若しくは中央に向かって生じる場合に、負方向の誤差と呼ばれる。
水平不等辺四辺形誤差は磁界の非点収差に起因して発生する。表示されるべき画像が矩形テストパターンである場合に、この誤差は、例えば、図６ａに示されるように赤色画像に対し回転された青色画像によって管のスクリーンに現れる。水平不等四辺形誤差は、他のパラメータ（コンバージェンス、幾何形状など）を最適化するよう選択された巻線分布を有する水平偏向コイルを構成する導体が、不等辺四辺形歪みを生じる高次偏向磁界係数又は高調波を生成する場合がある。不等辺四辺形歪みは、例えば、図６ｂに示されるように、１Ｈ（スクリーン上の１時）の点と、２Ｈ（スクリーン上の２時）の画像のコーナーを表す点との間で青色画像の勾配反転を生じる。
一般的に、偏向磁界は、管の長軸方向に３個の連続した作用ゾーン、すなわち、電子銃に最も接近した背後若しくは後方ゾーンと、スクリーンに最も接近した中間ゾーン及び前方ゾーンに分割される。幾何誤差は前方ゾーン内の磁界を制御することにより補正される。コンバージェンス誤差は後方ゾーン及び中間ゾーンで補正され、前方ゾーンでは殆ど影響を受けない。
例えば、図２に示された先行技術の偏向ヨークにおいて、永久磁石２４０，２４１，２４２は、幾何歪みを減少させるため、偏向ヨークの前面に配置される。他の磁石１４２及び磁界成形器は、水平偏向コイルと垂直偏向コイルの間に挿入され、コマ、パラボラコマ、及び、コンバージェンス誤差を削減するため局部的に磁界を修正する。
スクリーンが、例えば、１．５Ｒ以上である１Ｒよりも大きい曲率半径を有する場合、分路若しくは永久磁石のような磁気補助器を利用することなく、上記のビームランディング誤差を解決することはより一層困難になる。
不等辺四辺形誤差、コマパラボラ誤差、コマ誤差若しくはコンバージェンス誤差のような誤差は、分路若しくは永久磁石のような磁気補助器を利用することなく、偏向コイルの巻線分布を制御することにより削減することが望ましい。
分路若しくは永久磁石のような付加的な構成部品は、非常に高い水平周波数に関連して、特に、水平周波数が３２ｋＨｚ若しくは６４ｋＨｚ以上であるときにヨークに熱問題を生じるという欠点があるので、省略する方が望ましい。また、これらの付加的な構成部品は、不等辺四辺形誤差、幾何誤差、コマ誤差、コマパラボラ誤差、及び、コンバージェンス誤差の補正を劣化させるような形で生成されたヨークの変化を増大させる点が望ましくない。
発明の概要
本発明の特徴を具現化するビデオ表示装置において、鞍形偏向コイルは、陰極線管の表示スクリーンの第１の軸方向に電子ビームを走査させるため偏向磁界を生成する。偏向コイルは、１対の側方部と、上記スクリーンに接近した前方端旋曲部と、上記陰極線管の電子銃に接近した後方端旋曲部とを形成する旋曲を有する。側方部は導体ワイヤの無い巻線窓を形成し、側方部の間の長さ範囲は、前方端の旋曲部と後方端の旋曲部との間の距離によって決まる。少なくとも一方の側方部は、ビームランディング誤差を補正する巻線空間を有する。第１の巻線空間は、３０度乃至４５度の間で選択された角度範囲を占め、窓の長さ範囲の２分の１を超える長さ範囲を有するアパーチャを形成する。
３０度乃至４５度の角度範囲で巻線空間を形成することにより、上記不等辺四辺形誤差を縮小する効果が得られる。不等辺四辺形誤差の縮小はヨークに分路若しくは磁石を用いることなく実現される。
【図面の簡単な説明】
図１は、陰極線管に取り付けられた本発明による偏向ヨークを説明する図であり、
図２は、従来技術による偏向ヨークの正面方向展開図であり、
図３は、コイルの中間ゾーンに形成された本発明の装置による鞍形コイルの断面図であり、
図４ａ及び４ｂは、本発明の装置によるコイルの側面図及び平面図であり、
図５ａ及び５ｂは、本発明の装置によるコイルによって発生された水平方向磁界分布関数係数の変動と、コイルに形成された巻線窓及び巻線空間の影響とを陰極線管の主軸Ｘ方向に表示したグラフであり、
図６ａ及び６ｂは、赤色画像と青色画像の間の２種類の不等辺四辺形ビームランディング誤差を表す図である。
好ましい実施例の説明
図１に示されるように、自己コンバージェンス形カラー表示装置は、真空ガラスエンベローブ６と、表示スクリーン９を形成するエンベロープの両端の一方に配置された三原色ＲＧＢを表現する蛍光体若しくはルミネセンス素子の配列とを有する陰極線管（ＣＲＴ）を含む。電子銃７は上記エンベローブのもう一方の端に配置される。電子銃７の組は、対応したルミネセンス色素子を励起するため、水平方向に揃えられた３本の電子ビーム１２を発生するように配置される。電子ビームは、陰極線管のネック部８に取り付けられた偏向ヨーク１の動作によってスクリーンの表面を掃引する。偏向ヨーク１は、セパレータ２を用いて隔離された一対の水平偏向コイル３及び一対の垂直偏向コイル４と、ビーム路の磁界を強めるために設けられた強磁性体５のコアとを含む。
図４ａ及び４ｂは、夫々、本発明の一面による鞍形形状を備えた水平コイル若しくは巻線３の対の中の一方の対の側面図及び平面図である。各巻線旋曲は、導体ワイヤのループにより形成される。水平偏向コイル３の各対は、図１の電子銃７付近に、長軸若しくはＸ軸方向に延在する後方端旋曲部１８を有する。図４ａ及び４ｂの前方端旋曲部２９は、図１の表示スクリーン９の近くに配置され、Ｚ軸に対し略横切る向きでＺ軸から離れる方に湾曲する。コア５及び分離器２は、どちらも２個の別個の部品から組み立てられるよりも単一部品の形で製造される方が有利である。
図４ａ及び４ｂに示された鞍形コイル３の前方端旋曲部２９の導体ワイヤは、Ｘ軸の一方側でＺ軸に沿って一体として一方の側方部を形成するワイヤの束１２０、１２０’を用いて後方端旋曲部１９に接続され、Ｘ軸のもう一方側で一体としてもう一方の側方部を形成するワイヤの束１２１、１２１’によって後方端旋曲部１９に接続される。偏向コイル偏向磁界ビーム出口領域２３付近に存在する側方のワイヤの束１２０、１２０’及び１２１、１２１’の部分は、図４ａの前方空間２１、２１’及び２１”を形成する。前方空間２１、２１’及び２１”は、例えば、左右の歪みのようなスクリーンに形成された画像の幾何歪みを補正するように電流分布高調波に影響を与え、或いは、変更する。同様に、偏向コイル３の入口領域２５に設けられた側方のワイヤの束１２０、１２０’及び１２１、１２１’の一部は、後方空間２２及び２２’を形成する。空間２２及び２２’は、水平コマ誤差を補正するため選択された巻線分布を有する。各旋曲部１９及び２９は、側方のワイヤの束１２０’及び１２１’と共に主巻線窓１８を画成する。端旋曲部２９の長軸Ｚ方向の領域は、コイル３のビーム出口ゾーン若しくは領域２３を画成する。窓１８の長軸Ｚ軸方向の領域は、中間ゾーン若しくは領域２４を画成する。窓１８は、一方の端で、側方のワイヤの束１２０’及び１２１’が接合するコーナー部１７のＺ軸座標から拡がる。窓１８のもう一方の端は、旋曲部２９によって画成される。後方端旋曲部１９を含む後方の背後の窓１８に在るコイルのゾーンは、ビーム入口領域若しくはゾーン２５と呼ばれる。
コマ誤差は、主として、後方若しくは入口ゾーン２５で補正される。左右歪み及び上下歪みのような幾何誤差は、主として出口ゾーン２３若しくはその近傍で補正される。コンバージェンス誤差は、出口ゾーン２３で殆ど影響をうけず、主として中間ゾーン２４及び入口ゾーン２５で補正される。
図３は、中間ゾーン２４内のＸＹ平面と平行な平面における鞍形ラインコイル３の断面図である。対称性を考慮して、コイルの半分の断面だけが描かれる。半分のコイルには、導体５０の束１２０、１２０’が含まれる。各導体の位置は放射状角度位置θによって識別される。グルーブ１２０の導体は、零度とθＬとの間に配置され、グループ１２０’の導体はθ１とθ２の間に配置される。
巻線の対称性を考慮することにより、コイルのアンペア巻数密度Ｎ（θ）のフーリエ級数展開は、以下の式のように表される。
Ｎ（θ）＝Ａ１・ｃｏｓ（θ）＋Ａ３・ｃｏｓ（３θ）
＋Ａ５・ｃｏｓ（５θ）＋．．．＋ＡＫ・ｃｏｓ（Ｋθ）
＋．．．    （ＥＱ１）
但し：
0004215825.tif 000002
磁界は以下の式で表される。
Ｈ＝Ａ１／Ｒ＋（Ａ３／Ｒ３）・（Ｘ２−Ｙ２）
＋（Ａ５／Ｒ５）・（Ｘ４−６Ｘ２・Ｙ２＋Ｙ４）＋．．．
（ＥＱ３）
式中、Ｒは偏向コイルを取り巻くフェライトコアの磁気回路の半径を表す。項Ａ１／Ｒは、磁界分布関数の零次の係数若しくは基本磁界成分を表し、項（Ａ３／Ｒ３）・（Ｘ２−Ｙ２）は、座標Ｘ及びＹの点での磁界分布関数の２次係数を表し、巻線分布の第３高調波に関係する。項（Ａ５／Ｒ５）・（Ｘ４−６Ｘ２・Ｙ２＋Ｙ４）はこの磁界の４次係数若しくは第５高調波を表し、以下、同様である。
正の項Ａ３は、ピンクッション形の磁界を生成する軸上の正の磁界の２次係数に対応する。電流が全ての導体ワイヤ内で同じ向きに循環する場合に、Ｎ（θ）は一般的に正であり、項Ａ３はワイヤがθ＝零度からθ＝３０度の範囲に配置されているとき正である。予め決められた角度範囲にワイヤを配置することにより、磁界の重要な正の２次係数を、全体的に正の磁界の正の４次係数と共に局部的に導入することが可能である。
インライン式銃から到来する電子ビームの集中を保ため、ライン偏向磁界の２次の係数を中間ゾーン２４内で正にすることが知られている。この目的のため、側方の束１２０の大多数のワイヤは、中間ゾーン２４の少なくとも一部分において、０度乃至３０度の放射状角度位置に保たれる。しかし、ビームの集中は、強いコマパラボラ誤差を導入するので、コマパラボラ誤差は以下に説明するように補正されるべきである。
図４ａ及び４ｂに示された鞍形コイルは、電気絶縁体及び熱可塑性接着剤が被覆された小径の銅線が巻き付けられてもよい。巻き付けは、最終的な形状に本質的に従って鞍形コイルを巻き付け、巻き付け工程中に図４ａ及び４ｂに示された空間２１、２１’、２１”、２２、２２’を取り込む巻き付け装置で行われる。これらの空間の形状及び配置は、各空間内にコーナー部を形成することにより空間の形状を制限する巻き付けヘッド内の格納式ピンにより決められる。
巻き付け後に、各鞍形コイルは型にはめられ、所望の機械的寸法を得るため加圧される。電流は熱可塑性接着剤を軟化するためワイヤの中を流れ、次に、熱可塑性接着剤はワイヤを互いに接着し、自立的な鞍形コイルを形成するため再冷却される。
中間領域２４に形成された空間２１”の配置は、巻線工程中に、図４ａの中間領域２４の中央領域に設けられた位置６０でピンによって決定される。その結果、コーナー区画若しくはコーナー部は空間２１”の位置６０に形成される。
ピンは、巻線分布に急激な変化を生じ、周知の方法で対応したコーナー部を巻線空間に形成する。図４ａの位置６０の入口ゾーンに近い方の側方で、入口ゾーンがコーナー部位置６０に接近するに連れて、ワイヤの密度が高くなる。これに対し、図４ａの位置６０の出口ゾーンに近い方の側方で、位置６０からの距離が増加すると共に、ワイヤの密度は減少する。かくして、ワイヤの密度は位置６０で局所最小値をとる。
中間領域２４の後方部に形成された空間２６の配置は、巻線工程中に、中間領域２４の後方部に設けられた位置４２でピンによって決定される。その結果として、コーナー区画が空間２６の位置４２に形成される。位置４２は、Ｚ軸に関して、コイルの前方に５６ｍｍ離間し、主窓１８の後方限界若しくはコーナー部１７の近くに配置される。後方端部１７は、窓１８のＺ軸に関してコイルの前面から最も離れた座標値を定める。コーナー部１７はＺ軸に関してコイルの前面から５９ｍｍの距離に置かれる。空間２６は、Ｚ軸方向に関して偏向コイルの前面から４７ｍｍ乃至６２ｍｍの範囲に延在する。
両方の空間２１”及び２６は、ワイヤ１２０及び１２０’の束によって形成された側方部に配置される。位置６０のピンは、中間ゾーン２４の中央に接近して設けられる。位置４２のピンは、中間ゾーンの後方部内でコーナー部１７付近に設けられる。
位置４２のＺ軸座標は、一端で、窓１８の一方の端にあるコーナー部１７のＺ軸座標によって、他端で中間ゾーン２４の長さの約１０％の距離だけコーナー部１７から離れたＺ座標によって境界が定められた範囲内で選択される点が有利である。中間ゾーン２４の長さは、端旋曲部２９によって形成された窓１８の境界Ｚ軸座標と、窓１８のコーナー部１６のＺ軸座標との間の差に一致する。位置４２の座標を中間ゾーンの長さの１０％の範囲内で選択することにより、改良されたコマパラボラ補正が行われる。また、分路及び磁石の利用を回避することができるようになる。
解析的な目的のため、側方のワイヤの束が本質的に０度乃至５０度の一定放射状密度で配置された通常若しくは典型的な第１のコイルのコンバージェンス及びコマの誤差の値は、図４ａ及び４ｂのコイルにある種の観点で類似した仮定的な第２のコイルの誤差の値と比較される。第２のコイルの場合、本質的に中間ゾーン２４の中間で長手方向に設けられた側方ワイヤの束の９４％は、０度乃至３１度の範囲内の放射状開口に集中するので、図４ａの横方向巻線空間２１”と類似した横方向巻線空間が生成される。また、側方ワイヤ束が本質的に０度乃至５０度の一定放射状密度で配置された典型的な第１のコイルのコンバージェンス及びコマの値は、仮定的な第３のコイルの値と比較される。第３のコイルの場合、中間ゾーン２４の後方に設けられた長手位置内の側方巻線の束の４９％は、０度乃至３３度の放射状開口内の入口ゾーン２５の周辺に集められ、図４ａの横方向巻線空間２６と類似した巻線内に横方向巻線空間を形成する。
以下の表には、典型的若しくは通常の第１のコイルに対する第２及び第３のコイルのコンバージェンス誤差及びコマ誤差に関する改良点と、コマパラボラ誤差の悪化とが実証されている。コマパラボラ誤差は、第２のコイルの場合に０．４４ｍｍから０．８３ｍｍに増加し、第３のコイルの場合に０．５３ｍｍまで増加する。
以下の表で、コマの誤差（水平及び垂直方向）と、コンバージェンスの誤差は、陰極線管のスクリーンの象限を通例的に代表する９個の点で測定された。第２のコイル及び第３のコイルの二つの修正構造は、コマパラボラを逆向きに変更する点に注意する必要がある。この特徴は、コマパラボラ誤差値を許容可能な値、零付近まで削減するため、図４ａ及び４ｂの配置で使用することにより利点が得られる。
0004215825.tif 000003
空間２１”及び２６と関連した対応したピンの配置によって、コマパラボラ誤差を許容可能な値まで最小化することが可能であると共に、コンバージェンス及び残留コマ誤差を補償する別個の制御パラメータ又は自由度が得られる点が有利である。また、中間領域２４の束１２０に形成された巻線空間２１”と、領域２５に形成された巻線空間２４の組合せを使用することにより、Ｚ軸方向に要求された変化が生じるので、分路若しくは磁石の利用を回避できる利点が得られる。図４ａ及び４ｂの例において、偏向ヨークは、非球面タイプのスクリーンと、水平方向エッジに３．５Ｒのオーダーの曲率半径とを有するＡ６８ＳＦ型の陰極線管に取り付けられる。水平コイル３は、Ｚ軸方向に８１ｍｍの全長を有する。水平コイルは、Ｚ軸方向に７ｍｍの長さを有する端部巻線により形成された前方若しくはビーム出口領域若しくはゾーン２３を有する。水平コイル３は長さ５２ｍｍの中間ゾーン２４を含み、その中で図４ｂの窓１８が拡がる。
水平コイル３は背後若しくは後方端部巻線１９を有し、後方端部巻線はＺ軸方向に２２ｍｍの長さまで延びる。コイルの背後のワイヤは巻き付けられるので、ワイヤを含まない空間によって互いに局所的に分離された幾つかの束若しくはグループを構成する。
図４ａ及び４ｂのコイルの対称性をＹＺ平面に沿って検査することにより分かるように、ゾーン２４では、上記の如く、巻線工程中に位置６０及び４２でピンを挿入することより、空間２１”及び２６が作成される。位置６０のピンは、ワイヤ１２０の束をコイルのワイヤの数の約９４％に保つ。位置６０でのピンはコイルの前方から２７ｍｍの距離にあり、中間領域２４の略中央にあり、ＸＹ平面内で３１．５度の角度位置である。位置４２のピンは、図４ａのワイヤ４５の束をコイルのワイヤ数の約４９％に維持する。位置４２のピンはコイルの前方から５６ｍｍの場所で、ＸＹ平面内の角度位置が３３度に一致する場所に配置される。大多数の幾何誤差は、ゾーン２３内のワイヤ配置によって補正される。コマ誤差は、ビーム入口ゾーン２５の後方端旋曲部１９内でワイヤに形成された巻線空間により部分的に補正される。
図４ａ及び４ｂの装置の場合、コンバージェンス誤差及び残留コマ誤差は、位置６０のピンによって設定された中間ゾーン内のワイヤの一部の動作、及び、位置４２のピンによって設定された中間ゾーン内のワイヤの一部の動作によって部分的に補正される。夫々の補正は、コンバージェンス誤差及びコマ誤差の削減に部分的に寄与する。
上記のコンバージェンス誤差及びコマ誤差は、相互に逆向きの変動をコマパラボラ誤差に生じさせる点が有利である。したがって、コマパラボラ誤差は許容可能な大きさまで最小化できる点が有利である。
図５ａ及び５ｂには、空間２１”及び空間２６が水平偏向磁界の零次及び高次の成分の係数に与える影響が示される。図５ａでは、磁界の零次成分係数Ｈ０のＺ軸方向の変動、並びに、図４ａ及び４ｂのコイルによって生成された磁界の２次及び４次成分係数Ｈ２及びＨ４のＺ軸方向の変動が与えられ、空間２１”が存在しない点を除いて類似したコイルに発生する変動が比較される。図５ｂでは、磁界の零次成分係数Ｈ０のＺ軸方向の変動、並びに、図４ａ及び４ｂのコイルの磁界の２次及び４次の成分係数Ｈ２及びＨ４が与えられ、空間２６が無い点を除いて類似したコイルに発生する変動が比較され得る。図５ａ及び５ｂに示されるように、空間２１”及び空間２６は、偏向コイルの零次成分係数に影響を与えることなく、夫々、動作ゾーン内の２次及び４次の成分係数を正側に増大する。
管の寸法及びスクリーンのフラットさに依存して、所望の補正を実現するため、ゾーン２４内の中央領域内に付加的な空間を作成することが望ましい。同様に、位置６０及び４２のピンの動作によって０度乃至３０度の放射状開口に保持されるワイヤの割合、並びに、ピンのＺ位置は、ゾーン２３及び２５で選択されたワイヤの形状により作成された磁界の形状に依存する。このため、例えば、ビームの集中に対する所定の動作に対し、コマ誤差及びコマパラボラ誤差に加わる影響を変更するため、空間２６を後方ゾーン２５に多少拡張することにより磁界の４次成分係数を変化させることが有用である。
以下の表には、図４ａ及び４ｂのコイル構造体の動作によって生ずるコンバージェンス誤差、コマ誤差及びコマパラボラ誤差の値が示されている。コンバージェンス、コマ、及び、コマパラボラ誤差に対し獲得された値は非常に小さいので、許容可能である。
0004215825.tif 000004
位置４２におけるピンがＸＹ平面内である角度位置より下に保たれるワイヤの相対的な割合、位置４２におけるピンのＺ軸方向の位置、並びに、位置４２におけるピンの角度位置は、補正されるべき誤差の程度に応じて変化する。空間２６の寸法は変化し、図４ａ及び４ｂの場合には、入口領域２５まで拡大する。
典型的な従来の第１のコイルは、以下の表に掲載されるように不等辺四辺形上の歪みビームランディング誤差を有する。以下の表は、受像管スクリーン上の９個の通常の点における赤色画像と青色画像の間に不等辺四辺形状の値を与える。
0004215825.tif 000005
不等辺四辺形歪み誤差は図６ｂに示されている。図６ｂにおいて、以下の参照番号が適用される。参照番号７０は赤色画像を表し、参照番号７１は青色画像を表し、参照番号６０は点１Ｈ（スクリーン上の１時の方向）での不等辺四辺形誤差を表し、参照番号６１は点２Ｈ（スクリーン上の２時の方向）での不等辺四辺形誤差を表す。
本発明の特徴を実施する場合に、不等辺四辺形歪み誤差（ｔｒａｐｅｚｉｕｍｄｉｆｆｅｒｅｎｔｉａｌ  ｅｒｒｏｒ）は、導体を含まない空間２１”により補正される。空間２１”は、中間ゾーン２４のＺ軸方向の長さの半分よりも長い長さでＺ軸方向に中間ゾーン２４の中に延びる。中間ゾーンの長さは窓１８の長さと一致する。空間２１”は、不等辺四辺形歪み問題を生じる高次の磁界分布係数の影響を最小限に抑えるため、ＸＹ平面内の放射状角度アパーチャ内に延在する。
４０度の放射状方向は、不等辺四辺形歪み問題を最小限に抑えるためこの種の受像管の場合に好ましい方向であることが分かっているので、空間２１”は、Ｚ軸方向に沿ったより大きい部分でこの方向に傾けられる。コイルの型内のラインコイルの巻線制約を考慮するため、空間２１’’は、図４ａに示されるように、４０度の放射状方向を有する放射状角度アパーチャ内から導体が無くなるように、Ｚ軸に沿って長さ１２４を超えて延在する。長さ１２４は中間ゾーン２４のＺ方向の長さの約７５％に一致する。
赤／青不等辺四辺形誤差の測定量は、本例では、著しい改良を示し、不等辺四辺形歪みに許容可能な値を与える。これらの値は以下の表に記載される。
0004215825.tif 000006
図示されていない実施モードにおいて、２個の空間は、主窓１８のコーナー部１７付近のゾーン内でＺ軸に沿って存在する側方ワイヤ束に形成され得る。これら２個の空間は、ゾーン２４とゾーン２５の両方に部分的に拡張する。巻線工程中にこれらの窓を種々の角度位置にさせるピンを配置することにより、ワイヤのグループを作成できるようになる。ワイヤの本数は、コマ、コマパラボラ及びコンバージェンスの誤差を最小限に抑えるため、磁界に生成された影響を変化させ、偏向磁界の零次及び高次の成分係数により細かい動作を行うことができる相対値内で変化する。
上記の実施例は限定的ではない。鞍形垂直偏向コイルの同じ実現原理は、コンバージェンスの残留誤差、コマの残留誤差及び垂直コマパラボラの残留誤差を最小限に抑えるべく垂直偏向磁界を修正するため適用される。
【図１】
0004215825.tif 000007
【図２】
0004215825.tif 000008
【図３】
0004215825.tif 000009
【図４ａ】
0004215825.tif 000010
【図４ｂ】
0004215825.tif 000011
【図５ａ】
0004215825.tif 000012
【図５ｂ】
0004215825.tif 000013
【図６ａ】
0004215825.tif 000014
【図６ｂ】
0004215825.tif 000015